(57)【要約】      （修正有）【課題】太陽光発電モジュールの発電電力を、所定の売電契約電力以下で商用電源系統に送る太陽光発電モジュール用パワーコンディショナーを備える既設の太陽光発電の売電システムで、該売電契約電力を変更せず売電電力を増加させる。【解決手段】太陽光発電モジュール２１と太陽光発電モジュール用パワーコンディショナー２２間の配線Ｃ３を、分岐回路Ａ、ＤＣ−ＤＣコンバーター１１、充放電切替回路１２を介し蓄電池１３に接続、該充放電切替回路１２を蓄電池用パワーコンディショナー１４、合成回路Ｂを介し太陽光発電モジュール用パワーコンディショナー２２と商用電源系統２３間の配線Ｃ４に接続する。制御部１５は、該配線Ｃ４上の合成回路Ｂの上流の電力計１６の電力値が、該売電契約電力に達したら充電モード切替信号を分岐回路Ａ、充放電切替回路１２に送信、該売電契約電力未満なら放電モード切替信号を充放電切替回路１２、合成回路Ｂに送信する。【選択図】図１
2019004548.tif 000002
【特許請求の範囲】
【請求項１】
太陽光発電モジュールと、該太陽光発電モジュールで発電された直流電圧を交流電圧に変換する共に、所定の売電契約電力以下に変換して商用電源系統に送る太陽光発電モジュール用パワーコンディショナーとを備える既設の太陽光発電の売電システムにおいて、
既設の前記太陽光発電モジュール用パワーコンディショナーをそのまま用いて、所定の売電契約電力を変更することなく、日量の売電電力を増加させる既設利用型の太陽光発電の売電システムであって、
前記太陽光発電モジュールと前記太陽光発電モジュール用パワーコンディショナーとを接続する配線（Ｃ３）に、分岐回路（Ａ）を設け、
前記配線（Ｃ３）は、前記分岐回路（Ａ）を介して、ＤＣ−ＤＣコンバーター（１１）に接続され、
前記ＤＣ−ＤＣコンバーター（１１）は、充放電切替回路（１２）を介して、蓄電池（１３）に接続され、
該充放電切替回路（１２）は、蓄電池用パワーコンディショナー（１４）に接続されており、
該蓄電池用パワーコンディショナー（１４）は、前記太陽光発電モジュール用パワーコンディショナーと商用電源系統とを接続する配線（Ｃ４）に、合成回路（Ｂ）を介して接続され、
少なくとも前記分岐回路（Ａ）、前記充放電切替回路（１２）及び前記合成回路（Ｂ）に接続される制御部（１５）が設けられ、
前記太陽光発電モジュール用パワーコンディショナーと商用電源系統とを接続する配線（Ｃ４）における合成回路（Ｂ）の上流に電力計（１６）が設けられ、
前記制御部（１５）は、前記電力計（１６）からの電力測定値に基づき、前記電力測定値が所定の売電契約電力になったと判断した場合には充電モード切替信号を生成し、該充電モード切替信号を前記分岐回路（Ａ）及び前記充放電切替回路（１２）に送信し、前記電力測定値が所定の売電契約電力未満になたっと判断した場合には放電モード切替信号を生成し、該放電モード切替信号を前記充放電切替回路（１２）及び前記合成回路（Ｂ）に送信することを特徴とする既設利用型の太陽光発電の売電システム。
【請求項２】
太陽光発電モジュールと、該太陽光発電モジュールで発電された直流電圧を交流電圧に変換する共に、所定の売電契約電力以下に変換して商用電源系統に送る太陽光発電モジュール用パワーコンディショナーとを備える既設の太陽光発電の売電システムにおいて、
既設の前記太陽光発電モジュール用パワーコンディショナーをそのまま用いて、所定の売電契約電力を変更することなく、日量の売電電力を増加させる既設利用型の太陽光発電の売電システムであって、
前記太陽光発電モジュールと前記太陽光発電モジュール用パワーコンディショナーとを接続する配線（Ｃ３）に、分岐回路（Ａ）を設け、
前記配線（Ｃ３）は、前記分岐回路（Ａ）を介して、ＤＣ−ＤＣコンバーター（１１）に接続され、
前記ＤＣ−ＤＣコンバーター（１１）は、充放電切替回路（１２）を介して、蓄電池（１３）に接続され、
該充放電切替回路（１２）は、蓄電池用パワーコンディショナー（１４）に接続されており、
該蓄電池用パワーコンディショナー（１４）は、前記太陽光発電モジュール用パワーコンディショナーと商用電源系統とを接続する配線（Ｃ４）に、合成回路（Ｂ）を介して接続され、
少なくとも前記分岐回路（Ａ）、前記充放電切替回路（１２）及び前記合成回路（Ｂ）に接続されると共に、少なくともタイマーと、充電モード切替時刻及び放電モード切替時刻を含む切替情報を予め記憶する記憶部とを備える制御部（１５）が設けられ、
前記制御部（１５）は、前記記憶部からの切替情報に基づき、前記タイマーの時刻が前記充電モード切替時刻になったと判断した場合には充電モード切替信号を生成し、該充電モード切替信号を前記分岐回路（Ａ）及び前記充放電切替回路（１２）に送信し、前記タイマーの時刻が前記放電モード切替時刻になったと判断した場合には放電モード切替信号を生成し、該放電モード切替信号を前記充放電切替回路（１２）及び前記合成回路（Ｂ）に送信することを特徴とする既設利用型の太陽光発電の売電システム。
【請求項３】
前記制御部は、入出力部を更に備え、該入出力部から切替情報を取得したら、前記記憶部に記憶された切替情報を補正することを特徴とする請求項２記載の既設利用型の太陽光発電の売電システム。
【発明の詳細な説明】
【技術分野】
【０００１】
本発明は、既設利用型の太陽光発電の売電システムに関し、より詳しくは、太陽光発電モジュールと、その太陽光発電モジュールで発電された直流電圧を交流電圧に変換する共に、所定の売電契約電力以下に変換して商用電源系統に送る太陽光発電モジュール用パワーコンディショナーを備える既設の太陽光発電の売電システムを有効に利用しながら、所定の売電契約電力を変更することなく、日量の売電電力を増加させる既設利用型の太陽光発電の売電システムに関する。
【背景技術】
【０００２】
太陽光発電モジュールからの電力を商用電源系統に出力して売電するための太陽光発電の売電システムが広く普及している。
【０００３】
特許文献１には、家庭用の太陽光パネルで生み出された電気を自家消費して、余った電力を蓄電して、家庭用に流用する技術が記載されているが、売電するまでには至っていない。
【先行技術文献】
【特許文献】
【０００４】
【特許文献１】特開２０１６−１９４１４号公報
【発明の概要】
【発明が解決しようとする課題】
【０００５】
最近、大面積の太陽光発電パネルの設置事業者が増加している。現行の太陽光発電の売電システムは、太陽光発電モジュールと、該太陽光発電モジュールで発電された直流電圧を交流電圧に変換する共に、所定の売電契約電力以下に変換して商用電源系統に送る太陽光発電モジュール用パワーコンディショナーを備える。
【０００６】
売電契約電力は、電力会社と売電事業者との間で契約した電力が５０ｋＷである場合、商用電源系統に供給する電力は５０ｋＷ以下に制限する必要がある。
【０００７】
太陽電池が過積載の太陽光発電の場合、一日の中で、８時から１４時までは日照の関係で、発電能力が５０〜７０ｋＷまで増加することが多い。
【０００８】
しかし、太陽光発電モジュール用パワーコンディショナーで、売電契約電力である５０ｋＷ以下に変換されてしまう。
【０００９】
従って、既設の売電システムでは、売電契約電力を超える電力は、無駄に捨てられていた。
【００１０】
そこで本発明の課題は、太陽光発電モジュールと、その太陽光発電モジュールで発電された直流電圧を交流電圧に変換する共に、所定の売電契約電力以下に変換して商用電源系統に送る太陽光発電モジュール用パワーコンディショナーを備える既設の太陽光発電の売電システムを有効に利用しながら、所定の売電契約電力を変更することなく、日量の売電電力を増加させる既設利用型の太陽光発電の売電システムを提供することにある。
【００１１】
また本発明の他の課題は、以下の記載によって明らかとなる。
【課題を解決するための手段】
【００１２】
上記課題は、以下の各発明によって解決される。
【００１３】
１．
太陽光発電モジュールと、該太陽光発電モジュールで発電された直流電圧を交流電圧に変換する共に、所定の売電契約電力以下に変換して商用電源系統に送る太陽光発電モジュール用パワーコンディショナーとを備える既設の太陽光発電の売電システムにおいて、
既設の前記太陽光発電モジュール用パワーコンディショナーをそのまま用いて、所定の売電契約電力を変更することなく、日量の売電電力を増加させる既設利用型の太陽光発電の売電システムであって、
前記太陽光発電モジュールと前記太陽光発電モジュール用パワーコンディショナーとを接続する配線（Ｃ３）に、分岐回路（Ａ）を設け、
前記配線（Ｃ３）は、前記分岐回路（Ａ）を介して、ＤＣ−ＤＣコンバーター（１１）に接続され、
前記ＤＣ−ＤＣコンバーター（１１）は、充放電切替回路（１２）を介して、蓄電池（１３）に接続され、
該充放電切替回路（１２）は、蓄電池用パワーコンディショナー（１４）に接続されており、
該蓄電池用パワーコンディショナー（１４）は、前記太陽光発電モジュール用パワーコンディショナーと商用電源系統とを接続する配線（Ｃ４）に、合成回路（Ｂ）を介して接続され、
少なくとも前記分岐回路（Ａ）、前記充放電切替回路（１２）及び前記合成回路（Ｂ）に接続される制御部（１５）が設けられ、
前記太陽光発電モジュール用パワーコンディショナーと商用電源系統とを接続する配線（Ｃ４）における合成回路（Ｂ）の上流に電力計（１６）が設けられ、
前記制御部（１５）は、前記電力計（１６）からの電力測定値に基づき、前記電力測定値が所定の売電契約電力になったと判断した場合には充電モード切替信号を生成し、該充電モード切替信号を前記分岐回路（Ａ）及び前記充放電切替回路（１２）に送信し、前記電力測定値が所定の売電契約電力未満になたっと判断した場合には放電モード切替信号を生成し、該放電モード切替信号を前記充放電切替回路（１２）及び前記合成回路（Ｂ）に送信することを特徴とする既設利用型の太陽光発電の売電システム。
２．
太陽光発電モジュールと、該太陽光発電モジュールで発電された直流電圧を交流電圧に変換する共に、所定の売電契約電力以下に変換して商用電源系統に送る太陽光発電モジュール用パワーコンディショナーとを備える既設の太陽光発電の売電システムにおいて、
既設の前記太陽光発電モジュール用パワーコンディショナーをそのまま用いて、所定の売電契約電力を変更することなく、日量の売電電力を増加させる既設利用型の太陽光発電の売電システムであって、
前記太陽光発電モジュールと前記太陽光発電モジュール用パワーコンディショナーとを接続する配線（Ｃ３）に、分岐回路（Ａ）を設け、
前記配線（Ｃ３）は、前記分岐回路（Ａ）を介して、ＤＣ−ＤＣコンバーター（１１）に接続され、
前記ＤＣ−ＤＣコンバーター（１１）は、充放電切替回路（１２）を介して、蓄電池（１３）に接続され、
該充放電切替回路（１２）は、蓄電池用パワーコンディショナー（１４）に接続されており、
該蓄電池用パワーコンディショナー（１４）は、前記太陽光発電モジュール用パワーコンディショナーと商用電源系統とを接続する配線（Ｃ４）に、合成回路（Ｂ）を介して接続され、
少なくとも前記分岐回路（Ａ）、前記充放電切替回路（１２）及び前記合成回路（Ｂ）に接続されると共に、少なくともタイマーと、充電モード切替時刻及び放電モード切替時刻を含む切替情報を予め記憶する記憶部とを備える制御部（１５）が設けられ、
前記制御部（１５）は、前記記憶部からの切替情報に基づき、前記タイマーの時刻が前記充電モード切替時刻になったと判断した場合には充電モード切替信号を生成し、該充電モード切替信号を前記分岐回路（Ａ）及び前記充放電切替回路（１２）に送信し、前記タイマーの時刻が前記放電モード切替時刻になったと判断した場合には放電モード切替信号を生成し、該放電モード切替信号を前記充放電切替回路（１２）及び前記合成回路（Ｂ）に送信することを特徴とする既設利用型の太陽光発電の売電システム。
３．
前記制御部は、入出力部を更に備え、該入出力部から切替情報を取得したら、前記記憶部に記憶された切替情報を補正することを特徴とする前記２記載の既設利用型の太陽光発電の売電システム。
【発明の効果】
【００１４】
本発明によれば、既設の太陽光発電の売電システムを有効に利用しながら、所定の売電契約電力を変更することなく、日量の売電電力を増加させる既設利用型の太陽光発電の売電システムを提供することができる。
【図面の簡単な説明】
【００１５】
【図１】第１実施形態に係る既設利用型の太陽光発電の売電システムを説明するブロック図
【図２】第１実施形態に係る余剰電力の売電について説明するグラフ
【図３】第２実施形態に係る既設利用型の太陽光発電の売電システムを説明するブロック図
【図４】第２実施形態に係る余剰電力の売電について説明するグラフ
【発明を実施するための形態】
【００１６】
以下に、図面を参照して本発明を実施するための形態について説明する。
【００１７】
１．第１実施形態
図１は第１実施形態に係る既設利用型の太陽光発電の売電システムを説明するブロック図である。図１において、１は本発明の一実施形態に係る既設利用型の太陽光発電の売電システム（既設利用型の売電システムともいう）であり、２は既設の太陽光発電の売電システム（既設の売電システムともいう）である。既設の太陽光発電の売電システム２は一点鎖線で示され、それに追加された本発明に係る既設利用型の太陽光発電の売電システム１は実線で示されている。
【００１８】
既設の売電システム２は、太陽光発電モジュール（以下、ＰＶモジュールともいう）２１、太陽光発電モジュール用パワーコンディショナー（ＰＶモジュール用パワーコンディショナー、あるいはＰＶ用ＰＣＳともいう）２２、及び、商用電源系統２３によって構成されている。
【００１９】
ＰＶモジュール２１は、ＰＶ用ＰＣＳ２２と、配線Ｃ３を介して接続されている。ＰＶ用ＰＣＳ２２は、商用電源系統２３と、配線Ｃ４を介して接続されている。
【００２０】
ＰＶモジュール２１は、１又は複数の太陽電池をモジュール化してなる。ＰＶモジュール２１を構成する太陽電池は、太陽光の日射量に応じて直流電流を発生するものであれば格別限定されない。
【００２１】
ＰＶモジュール２１で発生した直流電流は、ＰＶ用ＰＣＳ２２に導入される。
【００２２】
ＰＶ用ＰＣＳ２２は、ＤＣ−ＡＣコンバーターの機能を有し、ＰＶモジュール２１からの直流電流を入力し、この直流電流をＤＣ−ＡＣ変換して交流電流を取得して、取得された交流電流を、商用電源系統２３へ出力（売電）する。
【００２３】
ＰＶ用ＰＣＳ２２は、ＤＣ−ＡＣコンバーターの機能に併せて、商用電源系統２３へ出力される電力を、売電契約に基づいて設定された所定の売電契約電力以下に変換する機能を有する。費用や、運用面での取扱い性の観点から、低圧連系を適用し、契約電力を５０ｋＷ以下とする場合が一般的である。
【００２４】
既設利用型の売電システム１は、ＤＣ−ＤＣコンバーター１１、充放電切替回路１２、蓄電池１３、蓄電池用パワーコンディショナー（以下、蓄電池用ＰＣＳともいう）１４、制御部１５を備えている。
【００２５】
ＤＣ−ＤＣコンバーター１１には充電用配線Ｃ１の一端が接続されている。充電用配線Ｃ１の他端は、既設の売電システム２におけるＰＶモジュール２１とＰＶ用ＰＣＳ２２とを接続する配線Ｃ３上の分岐回路Ａに接続される。分岐回路Ａは、充電モードにおいて配線Ｃ３と配線Ｃ１とを接続する。
【００２６】
また、蓄電池用ＰＣＳ１４には放電用配線Ｃ２の一端が接続されている。放電用配線Ｃ２の他端は、既設の売電システム２におけるＰＶ用ＰＣＳ２２と商用電源系統２３とを接続する配線Ｃ４上の合成回路Ｂに接続される。合成回路Ｂは、放電モードにおいて配線Ｃ３と配線Ｃ１とを接続する。
【００２７】
ＤＣ−ＤＣコンバーター１１は、配線を介して充放電切替回路１２に接続されている。蓄電池用ＰＣＳ１４は、配線を介して充放電切替回路１２に接続されている。また、充放電切替回路１２は蓄電池１３に接続されている。
【００２８】
充放電切替回路１２は、充電モードと放電モードとに切替え可能に構成されている。充電モードにおいて、蓄電池１３は、充放電切替回路１２を介してＤＣ−ＤＣコンバーター１１に接続される。一方、放電モードにおいて、蓄電池１３は、充放電切替回路１２を介して蓄電池用ＰＣＳ１４に接続される。
【００２９】
制御部１５は、少なくとも分岐回路Ａ、充放電切替回路１２及び合成回路Ｂに接続される。本実施形態において、制御部１５は、切替情報を予め記憶する記憶部（図示省略）を備えている。記憶部には、切替情報として、上述した所定の売電契約電力（上限値であり、本実施形態では５０ｋＷ）の値が記憶されている。
【００３０】
更に、本実施形態では、ＰＶ用ＰＣＳ２２と商用電源系統２３とを接続する配線Ｃ４における合成回路Ｂの上流に電力計１６が設けられる。電力計１６は、ＰＶ用ＰＣＳ２２から出力される電力を測定し、測定された電力の値（電力測定値）を制御部１５に入力する。
【００３１】
制御部１５は、電力計１６からの電力測定値に基づき、電力測定値が所定の売電契約電力になったと判断した場合には充電モード切替信号を生成し、該充電モード切替信号を分岐回路Ａ及び充放電切替回路１２に送信する。これにより、分岐回路Ａ及び充放電切替回路１２は充電モードに切替えられる。このとき、制御部１５は、該充電モード切替信号を、合成回路Ｂにも送信し、配線Ｃ４と配線Ｃ２との接続を断つようにしてもよい。
【００３２】
充電モードにおいて、ＤＣ−ＤＣコンバーター１１は、ＰＶモジュール２１で発生した直流電流を、配線Ｃ３から充電用配線Ｃ１を介して入力し、蓄電池１３の充電に適した電圧の直流電流を取得して、取得された直流電流を充放電切替回路１２へ出力する。充放電切替回路１２は、ＤＣ−ＤＣコンバーター１１からの直流電流を入力し、蓄電池１３に出力する。蓄電池１３は、充放電切替回路１２から入力される直流電流によって充電される。
【００３３】
一方、制御部１５は、電力計１６からの電力測定値に基づき、電力測定値が所定の売電契約電力未満になったと判断した場合には放電モード切替信号を生成し、該放電モード切替信号を充放電切替回路１２及び合成回路Ｂに送信する。これにより、充放電切替回路１２及び合成回路Ｂは放電モードに切替えられる。このとき、制御部１５は、該放電モード切替信号を、分岐回路Ａにも送信し、配線Ｃ３と配線Ｃ１との接続を断つようにしてもよい。
【００３４】
放電モードにおいて、蓄電池１３は、放電によって、充放電切替回路１２に直流電流を出力する。充放電切替回路１２は、蓄電池１３からの直流電流を入力し、蓄電池用ＰＣＳ１４に出力する。蓄電池用ＰＣＳ１４は、ＤＣ−ＡＣコンバーターの機能を有し、充放電切替回路１２からの直流電流を入力し、この直流電流をＤＣ−ＡＣ変換して交流電流を取得して、取得された交流電流を、配線Ｃ２から配線Ｃ４を介して、商用電源系統２３へ出力する。
【００３５】
次に、図２を参照して、ＰＶモジュール２１の余剰電力を売電に供するための制御の一例を説明することによって、第１実施形態について更に詳しく説明する。
【００３６】
図２に示すグラフにおいて、横軸は時刻（時）であり、縦軸は出力（ｋＷ）である。破線はＰＶモジュール２１の発電能力、実線はＰＶ用ＰＣＳ２２及び蓄電池用ＰＣＳ１４から出力される電力の合計、一点鎖線は売電契約電力（上限値であり、本実施形態では５０ｋＷ：一日を通して一定）である。
【００３７】
ここでは、ＰＶモジュール２１の定格出力は契約電力を超えており、ＰＶモジュール２１の発電能力は、日照量の多いピーク時間帯に、契約電力を超える。余剰電力というのは、ＰＶモジュール２１の発電能力のうち、契約電力を超える分の電力（図２中、Ｐ１で示した）である。
【００３８】
既設の売電システム２単独ではＰＶ用ＰＣＳ２２によって余剰電力Ｐ１を捨てることになるが、既設利用型の売電システム１が追設されることによって、余剰電力Ｐ１についても売電に供することができる。即ち、既設のＰＶ用ＰＣＳ２２をそのまま用いて、所定の売電契約電力を変更することなく、日量の売電電力を増加させることができる。
【００３９】
図２に示されるように、ＰＶ用ＰＣＳ２２からの電力が所定の売電契約電力になった場合には余剰電力Ｐ１が存在するとみなし、充電モードに切り替えて、該余剰電力Ｐ１を蓄電池１３に充電することができる。一方、ＰＶ用ＰＣＳ２２からの電力が所定の売電契約電力未満になった場合には、放電モードに切り替えて、予め蓄電池１３に充電された余剰電力Ｐ１を追加電力（図２中、Ｐ２で示した）として放電し、既設のＰＶ用ＰＣＳ２２からの電力と併せて、契約電力の範囲内で追加的に売電することができる。
【００４０】
充電モードに切り換えた後、ＰＶモジュール２１から充電用配線Ｃ１方向へ向かう電力を段階的に増やしていくことは好ましいことである。この観点で、制御部１５は、充電モードに切り換えた後、ＰＶモジュール２１から蓄電池１３に出力される電力を、時間の経過に伴って段階的に増加させるように制御してもよい。このような制御は、例えば、充放電切替回路１２の切り替えによって、蓄電池１３を構成する複数の蓄電池セルのうちの充電対象になる蓄電池セルの数を、時間の経過に伴って増加させることによって行うことができる。
【００４１】
また、放電モードに切り換えた後、蓄電池１３から放電用配線Ｃ２方向へ向かう電力を段階的に増やしていくことは好ましいことである。この観点で、制御部１５は、放電モードに切り換えた後、蓄電池１３から商用電源系統２３に出力される電力を、時間の経過に伴って段階的に増加させるように制御してもよい。このような制御は、例えば、充放電切替回路１２の切り替えによって、蓄電池１３を構成する複数の蓄電池セルのうちの放電対象になる蓄電池セルの数を、時間の経過に伴って増加させることによって行うことができる。あるいは、このような制御は、蓄電池用ＰＣＳ１４の出力を時間の経過に伴って増加させることによって行うことができる。
【００４２】
２．第２実施形態
図３は第１実施形態に係る既設利用型の太陽光発電の売電システムを説明するブロック図である。図３において、図１と同符号の構成については、図１についてした説明が援用される。
【００４３】
上述した第１実施形態では、既設の売電システム２に、ＰＶ用ＰＣＳ２２から出力される電力を測定する電力計１６を組込む場合について示したが、本実施形態では、電力計１６は省略されている。そのため、既設の売電システム２に対する追設性を更に向上する効果が得られる。
【００４４】
本実施形態において、制御部１５は、少なくともタイマーと、切替時刻を含む切替情報を予め記憶する記憶部（図示省略）とを備えている。
【００４５】
記憶部には、切替時刻として、充電モード切替時刻と、放電モード切替時刻とを記憶することができる。
【００４６】
制御部１５は、タイマーの時刻が充電モード切替時刻になったと判断した場合には充電モード切替信号を生成し、該充電モード切替信号を、分岐回路Ａ及び充放電切替回路１２に送信する。これにより、分岐回路Ａ及び充放電切替回路１２は充電モードに切替えられる。このとき、制御部１５は、該充電モード切替信号を、合成回路Ｂにも送信し、配線Ｃ４と配線Ｃ２との接続を断つようにしてもよい。
【００４７】
一方、制御部１５は、タイマーの時刻が放電モード切替時刻になったと判断した場合には放電モード切替信号を生成し、該放電モード切替信号を、充放電切替回路１２及び合成回路Ｂに送信する。これにより、充放電切替回路１２及び合成回路Ｂは放電モードに切替えられる。このとき、制御部１５は、該放電モード切替信号を、分岐回路Ａにも送信し、配線Ｃ３と配線Ｃ１との接続を断つようにしてもよい。
【００４８】
次に、図４を参照して、ＰＶモジュール２１の余剰電力を売電に供するための制御の一例を説明することによって、第２実施形態について更に詳しく説明する。
【００４９】
図４に示すグラフにおいて、横軸は時刻（時）であり、縦軸は出力（ｋＷ）である。破線はＰＶモジュール２１の発電能力、実線はＰＶ用ＰＣＳ２２及び蓄電池用ＰＣＳ１４から出力される電力の合計、一点鎖線は売電契約電力（上限値であり、本実施形態でも５０ｋＷ：一日を通して一定）である。Ｔ１は日の出時刻、Ｔ２は太陽の高度（仰角）が最も大きくなる南中時刻、Ｔ３は日の入り時刻に対応する。
【００５０】
本実施形態においても、ＰＶモジュール２１の定格出力は契約電力を超えており、ＰＶモジュール２１の発電能力は、南中時刻Ｔ２前後の日照量の多いピーク時間帯に、契約電力を超える。
【００５１】
図４の例では、充電モード切替時刻ＴＣは、ピーク時間帯の開始に対応する時刻に設定されており、放電モード切替時刻ＴＤは、ピーク時間帯の開始に対応する時刻に設定されている。そのため、ピーク時間帯に余剰電力Ｐ１を蓄電池１３に充電し、ピーク時間帯外に予め蓄電池１３に充電された余剰電力Ｐ１を追加電力（図４中、Ｐ２で示した）として放電し、既設のＰＶ用ＰＣＳ２２からの電力と併せて、追加的に売電することができる。
【００５２】
制御部１５は、入出力部（図示省略）を更に備え、該入出力部から情報を取得したら、記憶部に記憶された切替情報を補正することが好ましい。これにより、切替情報を季節の変化等に応じて補正して、余剰電力の売電をより好適に行うことができる。
【００５３】
入出力部は、例えば、インターネット回線から情報を入力するように構成することができる。例えば、ＰＶモジュール２１が設置される地域における日の出時刻Ｔ１、南中時刻Ｔ２、及び日の入り時刻Ｔ３の１又は複数を含む情報を、例えば気象庁等のインターネットサイトからインターネット回線を介して取得し、取得した情報に基づいて時刻Ｔｃ及びＴＤを補正することができる。
【００５４】
この場合、例えば、充電モードに切替える時刻ＴＣを、日の出時刻Ｔ１に１時間〜３時間を加えた値に設定し、放電モードに切替える時刻ＴＤを、日の入り時刻Ｔ３から１時間〜３時間を減じた値に設定することができる。
【００５５】
また例えば、充電モードに切替える時刻ＴＣを、南中時刻Ｔ２から１時間〜２時間を減じた値に設定し、放電モードに切替える時刻ＴＤを、南中時刻Ｔ２に１時間〜２時間を加えた値に設定することができる。
【００５６】
このような時刻Ｔｃ及びＴＤの補正は、毎日実行されてもよいし、毎週実行されてもよいし、毎月行われてもよいし、一年のうち２回〜１０回程度行われてもよい。
【００５７】
また、制御部１５の入出力部は、インターネット回線を介して、サービス提供者から切替情報を直接取得するように構成されてもよい。この場合、記憶部に記憶された切替情報を、取得した切替情報に変更することができる。
【００５８】
制御部１５の入出力部は、インターネット回線に接続される場合に限定されず、例えばサービス提供者等によって手動で情報を入力できるように構成されてもよい。
【００５９】
また、制御部１５の入出力部は、太陽光の光量を測定する光量センサーから光量測定値を取得し、該光量測定値に基づいて、記憶部に記憶された切替情報を補正してもよい。
【００６０】
制御部１５は、放電モードに切替えた後、ＰＶ用ＰＣＳ２２及び蓄電池用ＰＣＳ１４から出力される電力の合計が契約電力を超えないように、蓄電池用ＰＣＳ１４の出力を契約電力の枠内で徐々に増大させることができる。日没時刻Ｔ３以降は、ＰＶ用ＰＣＳ２２がゼロになるため、蓄電池用ＰＣＳ１４の出力を契約電力に設定することができる。
【００６１】
売電システムが備える蓄電池は、充放電が可能なものであればよく、例えばレドックス電池、鉛電池、リチウムイオン電池等が挙げられる。
【符号の説明】
【００６２】
１：既設利用型の売電システム
１１：ＤＣ−ＤＣコンバーター
１２：充放電切替回路
１３：蓄電池
１４：蓄電池用ＰＣＳ（蓄電池用パワーコンディショナー）
１５：制御部
１６：電力計
２：既設の売電システム
２１：ＰＶモジュール（太陽光発電モジュール）
２２：ＰＶ用ＰＣＳ（太陽光発電モジュール用パワーコンディショナー）
２３：商用電源系統
Ａ：分岐回路
Ｂ：合成回路
Ｃ１：充電用配線
Ｃ２：放電用配線
Ｃ３、Ｃ４：配線
【図１】
2019004548.tif 000003
【図２】
2019004548.tif 000004
【図３】
2019004548.tif 000005
【図４】
2019004548.tif 000006